(57)【要約】【課題】ポータブル・プレーヤを放送受信装置に接続したままでＰＣによってコンテンツデータの追加等を行うことができる放送受信装置を提供する。【解決手段】ポータブル・プレーヤ２はコネクタ１０１に接続され、ＰＣ３はコネクタ１０２に接続されている。接続検出部１０３はポータブル・プレーヤ２の接続を検出し、接続検出部１０７はＰＣ３の接続を検出する。ＣＰＵ１１０は、音声処理部１１４がポータブル・プレーヤ２によって再生した音声データに基づく音声信号をスピーカ１１５に供給する再生モードと、ポータブル・プレーヤ２とＰＣ３とを通信可能な状態に接続するＰＣ通信モードとを切り換える。【選択図】図２
2010226701.tif 000002
【特許請求の範囲】
【請求項１】
スピーカに音声信号を供給する音声信号供給部と、
音声データを再生するポータブル・プレーヤを接続する第１のコネクタと、
パーソナル・コンピュータを接続する第２のコネクタと、
前記第１のコネクタにポータブル・プレーヤが接続されているか否かを検出する第１の接続検出部と、
前記第２のコネクタにパーソナル・コンピュータが接続されているか否かを検出する第２の接続検出部と、
前記第１の接続検出部が前記第１のコネクタにポータブル・プレーヤが接続されていることを検出し、かつ、前記第２の接続検出部が前記第２のコネクタにパーソナル・コンピュータが接続されていることを検出しているとき、前記音声信号供給部が、前記ポータブル・プレーヤによって再生した音声データに基づく音声信号を前記スピーカに供給して前記音声信号による音声を発生させる再生モードと、前記ポータブル・プレーヤと前記パーソナル・コンピュータとを通信可能な状態に接続するＰＣ通信モードとを切り換える切換制御部と
を備えることを特徴とする放送受信装置。
【請求項２】
表示部に映像信号を供給する映像信号供給部を備え、
前記切換制御部は、前記再生モードのとき、前記ポータブル・プレーヤによって再生した映像データに基づく映像信号を前記表示部に供給して前記映像信号による映像を表示させる
ことを特徴とする請求項１記載の放送受信装置。
【請求項３】
前記第１のコネクタにポータブル・プレーヤが接続されているとき、前記ポータブル・プレーヤが前記放送受信装置を外部機器として識別するよう作用する被識別部を備える
ことを特徴とする請求項１または２に記載の放送受信装置。
【請求項４】
前記ポータブル・プレーヤを前記放送受信装置によって制御可能な第１の状態と、前記ポータブル・プレーヤを前記放送受信装置によって制御不可とし、前記パーソナル・コンピュータによって制御可能な第２の状態とを切り換える信号切換部を備え、
前記切換制御部は、前記再生モードのとき前記信号切換部を前記第１の状態とし、前記ＰＣ通信モードのとき前記信号切換部を前記第２の状態とするよう制御する
ことを特徴とする請求項１〜３のいずれか１項に記載の放送受信装置。
【請求項５】
前記放送受信装置を動作させるための電力を発生する電源部と、
前記再生モードのとき前記電源部が発生した電力を前記ポータブル・プレーヤに供給し、前記ＰＣ通信モードのとき前記パーソナル・コンピュータが発生した電力を前記ポータブル・プレーヤに供給する第１のスイッチを有する電源切換部と
を備えることを特徴とする請求項１〜４のいずれか１項に記載の放送受信装置。
【請求項６】
前記電源部または前記パーソナル・コンピュータより供給される電力を前記ポータブル・プレーヤに供給するか否かを切り換える第２のスイッチを備え、
前記切換制御部は、前記再生モードから前記ＰＣ通信モードへと切り換える際、及び、前記ＰＣ通信モードから前記再生モードへと切り換える際の切換タイミングに対応させて前記第２のスイッチによって前記ポータブル・プレーヤへの電力供給を一時的に遮断する
ことを特徴とする請求項５記載の放送受信装置。
【請求項７】
前記切換制御部は、前記切換タイミングが前記ポータブル・プレーヤへの電力供給を遮断している時間内に位置するよう、前記切換タイミングの前に電力供給の遮断を開始して前記切換タイミングの後に電力供給を再開させるか、前記切換タイミングの後に前記ポータブル・プレーヤへの電力供給を一時的に遮断するよう、前記第２のスイッチを制御する
ことを特徴とする請求項６記載の放送受信装置。
【請求項８】
前記再生モードとなっている前記放送受信装置を、前記ＰＣ通信モードに切り換えることが可能なことを知らせる情報を前記表示部に表示させるよう制御する表示制御部を備える
ことを特徴とする請求項１〜７のいずれか１項に記載の放送受信装置。
【請求項９】
前記ＰＣ通信モードとなっている前記放送受信装置を、前記再生モードに切り換えることが可能なことを知らせる情報を前記表示部に表示させるよう制御する表示制御部を備える
ことを特徴とする請求項１〜７のいずれか１項に記載の放送受信装置。
【発明の詳細な説明】
【技術分野】
【０００１】
本発明は、ポータブル・プレーヤを接続可能な放送受信装置に関する。
【背景技術】
【０００２】
音楽や映像のコンテンツを所定の圧縮フォーマットで圧縮したデジタルデータである音声データや映像データを半導体メモリ等の記憶媒体に記憶させて再生するポータブル・プレーヤが普及している。音声データまたは映像データをコンテンツデータと称することとする。ポータブル・プレーヤに記憶させるコンテンツデータは、パーソナル・コンピュータ（ＰＣ）で管理するのが一般的である。ポータブル・プレーヤとＰＣとは専用のＵＳＢケーブル等を用いて接続され、ＰＣに貯蔵されているコンテンツデータがポータブル・プレーヤに転送されて記憶される。
【０００３】
一例として特許文献１には、ポータブル・プレーヤと外部のオーディオ／ビデオ機器とを接続して、ポータブル・プレーヤからのデータをオーディオ／ビデオ機器に供給して表示することが記載されている。
【先行技術文献】
【特許文献】
【０００４】
【特許文献１】米国特許出願公開第２００８／００７５４３２号明細書
【発明の概要】
【発明が解決しようとする課題】
【０００５】
ポータブル・プレーヤを放送受信装置に接続して、ポータブル・プレーヤによって再生した音声データに基づく音声を放送受信装置のスピーカから発生させたり、ポータブル・プレーヤによって再生した映像データに基づく映像を放送受信装置の表示部で表示させたりすることが考えられる。ポータブル・プレーヤ内には記憶されておらず、ＰＣに貯蔵されているコンテンツデータをポータブル・プレーヤで再生したい場合には、ポータブル・プレーヤを一旦放送受信装置から取り外し、ポータブル・プレーヤとＰＣとをケーブル等で接続しなければならない。そして、ＰＣに貯蔵されているコンテンツデータをポータブル・プレーヤに転送して記憶させた後にポータブル・プレーヤとＰＣとの接続を外して再びポータブル・プレーヤを放送受信装置に接続しなければならない。
【０００６】
このように、ポータブル・プレーヤを放送受信装置のような外部機器に接続して使用する場合、ポータブル・プレーヤに対して新規のコンテンツデータを追加したり、コンテンツデータを入れ替えたり、あるいは既に記憶されているコンテンツデータを削除したりする場合には、ポータブル・プレーヤを放送受信装置から取り外し、再び接続するというユーザによって煩雑な作業が必要となる。そこで、ユーザに煩雑な作業を行わせる必要がなく、使い勝手のよい放送受信装置が望まれていた。
【０００７】
本発明はこのような問題点に鑑みなされたものであり、ポータブル・プレーヤを放送受信装置に接続したままでＰＣによってコンテンツデータの追加等を行うことができる放送受信装置を提供することを目的とする。
【課題を解決するための手段】
【０００８】
本発明は、上述した従来の技術の課題を解決するため、スピーカ（１１５）に音声信号を供給する音声信号供給部（１１４）と、音声データを再生するポータブル・プレーヤ（２）を接続する第１のコネクタ（１０１）と、パーソナル・コンピュータ（３）を接続する第２のコネクタ（１０２）と、前記第１のコネクタにポータブル・プレーヤが接続されているか否かを検出する第１の接続検出部（１０３）と、前記第２のコネクタにパーソナル・コンピュータが接続されているか否かを検出する第２の接続検出部（１０７）と、前記第１の接続検出部が前記第１のコネクタにポータブル・プレーヤが接続されていることを検出し、かつ、前記第２の接続検出部が前記第２のコネクタにパーソナル・コンピュータが接続されていることを検出しているとき、前記音声信号供給部が、前記ポータブル・プレーヤによって再生した音声データに基づく音声信号を前記スピーカに供給して前記音声信号による音声を発生させる再生モードと、前記ポータブル・プレーヤと前記パーソナル・コンピュータとを通信可能な状態に接続するＰＣ通信モードとを切り換える切換制御部（１１０）とを備えることを特徴とする放送受信装置を提供する。
【０００９】
上記の構成において、表示部に映像信号を供給する映像信号供給部を備え、前記切換制御部は、前記再生モードのとき、前記ポータブル・プレーヤによって再生した映像データに基づく映像信号を前記表示部に供給して前記映像信号による映像を表示させるよう構成してもよい。
【００１０】
前記第１のコネクタにポータブル・プレーヤが接続されているとき、前記ポータブル・プレーヤが前記放送受信装置を外部機器として識別するよう作用させる被識別部（１０５）を備えることが好ましい。
【００１１】
前記ポータブル・プレーヤを前記放送受信装置によって制御可能な第１の状態と、前記ポータブル・プレーヤを前記放送受信装置によって制御不可とし、前記パーソナル・コンピュータによって制御可能な第２の状態とを切り換える信号切換部（１０６）を備え、前記切換制御部は、前記再生モードのとき前記信号切換部を前記第１の状態とし、前記ＰＣ通信モードのとき前記信号切換部を前記第２の状態とするよう制御することが好ましい。
【００１２】
前記放送受信装置を動作させるための電力を発生する電源部（１０８）と、前記再生モードのとき前記電源部が発生した電力を前記ポータブル・プレーヤに供給し、前記ＰＣ通信モードのとき前記パーソナル・コンピュータが発生した電力を前記ポータブル・プレーヤに供給する第１のスイッチ（１０９ａ）を有する電源切換部（１０９）とを備えることが好ましい。
【００１３】
前記電源部または前記パーソナル・コンピュータより供給される電力を前記ポータブル・プレーヤに供給するか否かを切り換える第２のスイッチ（１０９ｂ）を備え、前記切換制御部は、前記再生モードから前記ＰＣ通信モードへと切り換える際、及び、前記ＰＣ通信モードから前記再生モードへと切り換える際の切換タイミングに対応させて前記第２のスイッチによって前記ポータブル・プレーヤへの電力供給を一時的に遮断することが好ましい。
【００１４】
前記切換制御部は、前記切換タイミングが前記ポータブル・プレーヤへの電力供給を遮断している時間内に位置するよう、前記切換タイミングの前に電力供給の遮断を開始して前記切換タイミングの後に電力供給を再開させるか、前記切換タイミングの後に前記ポータブル・プレーヤへの電力供給を一時的に遮断するよう、前記第２のスイッチを制御することが好ましい。
【００１５】
前記再生モードとなっている前記放送受信装置を、前記ＰＣ通信モードに切り換えることが可能なことを知らせる情報を前記表示部に表示させるよう制御する表示制御部（１１０）を備えることが好ましい。
【００１６】
前記ＰＣ通信モードとなっている前記放送受信装置を、前記再生モードに切り換えることが可能なことを知らせる情報を前記表示部に表示させるよう制御する表示制御部（１１０）を備えることが好ましい。
【発明の効果】
【００１７】
本発明の放送受信装置によれば、ポータブル・プレーヤを放送受信装置に接続したままでＰＣによってコンテンツデータの追加等を行うことが可能となる。従って、ユーザは放送受信装置からポータブル・プレーヤを一旦外して再び接続するという煩雑な作業を行う必要がなく、ユーザの負担を大幅に軽減させることができる。
【図面の簡単な説明】
【００１８】
【図１】本発明の一実施形態を示す概略構成図である。
【図２】一実施形態の詳細な構成を示すブロック図である。
【図３】一実施形態におけるモード切換を説明するための図である。
【図４】一実施形態における再生モードからＰＣ通信モードへのモード切換処理の一例を示すフローチャートである。
【図５】図４に示すモード切換処理の過程で表示部に表示される情報の一例を示す図である。
【図６】一実施形態におけるＰＣ通信モードから再生モードへのモード切換処理の一例を示すフローチャートである。
【図７】図６に示すモード切換処理の過程で表示部に表示される情報の一例を示す図である。
【図８】一実施形態におけるＰＣ通信モードから再生モードへのモード切換処理の他の一例を示すフローチャートである。
【図９】図８に示すモード切換処理の過程で表示部に表示される情報の一例を示す図である。
【図１０】ユーザが行う動作を含めて一実施形態の放送受信装置の使い方の一例を示すフローチャートである。
【発明を実施するための形態】
【００１９】
以下、本発明の放送受信装置の一実施形態について、添付図面を参照して説明する。図１において、本実施形態の放送受信装置１はコネクタ１０１，１０２を備えている。ポータブル・プレーヤ２はコネクタ１０１に着脱自在に接続されている。パーソナル・コンピュータ（ＰＣ）３はコネクタ１０２に着脱自在に接続されている。放送受信装置１とポータブル・プレーヤ２及びＰＣ３との接続にはＵＳＢケーブル等を用いることができる。放送受信装置１に、ポータブル・プレーヤ２の接続端子と接続する接続端子を有し、ポータブル・プレーヤ２を装着する装着部を設け、ケーブルを用いることなく、ポータブル・プレーヤ２を直接装着部に装着するようにしてもよい。また、ワイヤレスＵＳＢ等の無線技術を用いて放送受信装置１とポータブル・プレーヤ２またはＰＣ３とを接続してもよい。
【００２０】
図１に示すように放送受信装置１にポータブル・プレーヤ２を接続している場合、放送受信装置１のリモコン送信機４を操作することによってポータブル・プレーヤ２に記憶されているコンテンツデータを再生することができるように構成されている。放送受信装置１の表示部１１３には、ポータブル・プレーヤ２によって再生した映像データの映像が表示される。図１では図示を省略しているスピーカからは、ポータブル・プレーヤ２によって再生した音声データの音声（音波）が出力される。
【００２１】
ＰＣ３は、ポータブル・プレーヤ２に転送可能なコンテンツデータを貯蔵している。本実施形態においては、後に詳述するように、ポータブル・プレーヤ２に記憶されているコンテンツデータを再生して放送受信装置１の表示部１１３に映像表示させたり、放送受信装置１のスピーカから音声出力させたりする場合も、ＰＣ３から放送受信装置１を介してポータブル・プレーヤ２にコンテンツデータを転送する場合も、ポータブル・プレーヤ２を放送受信装置１に接続したままでよい。
【００２２】
なお、ポータブル・プレーヤ２としては、例えばアップル社のiPod（登録商標）を用いることができる。勿論、iPod（登録商標）以外のポータブル・プレーヤであってもよい。この種のポータブル・プレーヤ２では、インターネット等を介して配信された音楽データや映像データのコンテンツデータを、一旦ＰＣ３にダウンロードし、ＰＣ３からポータブル・プレーヤ２にコンテンツデータを転送することにより、ポータブル・プレーヤ２にコンテンツデータを蓄積することができる。
【００２３】
次に、図２を用いて、放送受信装置１の具体的な構成及び動作について説明する。図２において、ポータブル・プレーヤ２はコネクタ１０１に接続され、ＰＣ３はコネクタ１０２に接続されている。コネクタ１０１には、接続検出部１０３，通信部１０４，被識別部１０５，信号切換部１０６，電源切換部１０９，映像処理部１１２，音声処理部１１４が接続されている。コネクタ１０２には、信号切換部１０６，接続検出部１０７，電源切換部１０９が接続されている。接続検出部１０３はコネクタ１０１にポータブル・プレーヤ２が接続されたこと（接続されていること）を検出して、制御部である中央処理装置（ＣＰＵ）１１０に接続検出信号Ｓct1を供給する。接続検出信号Ｓct1は、例えば、接続検出部１０３が接続を検出しているときにハイレベル（“１”）、接続を検出していないときにローレベル（“０”）である。
【００２４】
通信部１０４は、ＣＰＵ１１０がポータブル・プレーヤ２と通信を行うためのインターフェースである。本実施形態においては、ＣＰＵ１１０はＵＡＲＴインターフェースを用いてポータブル・プレーヤ２と通信することにより、放送受信装置１がポータブル・プレーヤ２を制御する。即ち、リモコン送信機４による操作によってポータブル・プレーヤ２を制御することが可能である。ＵＡＲＴ通信の代わりに、ＵＳＢ通信によってポータブル・プレーヤ２を制御するように構成してもよい。
【００２５】
被識別部１０５は、ポータブル・プレーヤ２が外部機器（本実施形態では放送受信装置１）と接続されたことをポータブル・プレーヤ２に認識させるための回路部である。ポータブル・プレーヤ２がコネクタ１０１を介して被識別部１０５に接続されることによって、ポータブル・プレーヤ２は、ポータブル・プレーヤ２にとってのアクセサリ機器である外部機器に接続されたことを認識する。被識別部１０５の内部構成はポータブル・プレーヤ２の種類（製造会社）に応じた構成とする。ポータブル・プレーヤ２にどのような回路を接続するとポータブル・プレーヤ２が外部機器に接続されたと認識するのかはポータブル・プレーヤ２の仕様によって異なる。従って、被識別部１０５はポータブル・プレーヤ２の仕様に応じた構成とすればよい。
【００２６】
後に詳述するように、放送受信装置１は、チューナ１１１によって受信した放送番組をユーザに視聴させるＴＶモードと、ポータブル・プレーヤ２によって再生したコンテンツデータを放送受信装置１によって映像表示させたり、音声出力させたりする再生モードと、ポータブル・プレーヤ２がＰＣ３と通信を行うＰＣ通信モードとを選択的に切り換えることができるよう構成されている。コネクタ１０１，１０２と信号切換部１０６との間はＵＳＢ信号ラインとなっている。信号切換部１０６はコネクタ１０１からのＵＳＢ信号ラインとコネクタ１０２からのＵＳＢ信号ラインとを接続するか否かによってＴＶモード／再生モードとＰＣ通信モードとを切り換える。
【００２７】
接続検出部１０７はコネクタ１０２にＰＣ３が接続されたこと（接続されていること）を検出して、ＣＰＵ１１０に接続検出信号Ｓct2を供給する。接続検出信号Ｓct2は、例えば、接続検出部１０７が接続を検出しているときにハイレベル（“１”）、接続を検出していないときにローレベル（“０”）である。図２では図示を省略しているが、電源部１０８は例えば商用交流電源と接続されて電力を発生し、放送受信装置１の各部に電力を供給する。また、電源部１０８からの電力は電源切換部１０９に供給される。ＰＣ３が発生する電力はコネクタ１０２を介して電源切換部１０９に供給される。
【００２８】
電源切換部１０９は、電源部１０８からの電力とＰＣ３からの電力とを選択的にポータブル・プレーヤ２に供給するためのスイッチ１０９ａと、ポータブル・プレーヤ２に電力を供給するか否かを切り換えるスイッチ１０９ｂとを有する。図２において、一点鎖線で示すラインは電源ラインである。図２の例ではスイッチ１０９ｂを電源切換部１０９内に設けているが、電源切換部１０９外に設けてもよい。
【００２９】
チューナ１１１はアンテナ５より入力されたテレビジョン放送の放送波信号を受信して所定の番組信号を復調する。本実施形態においては、放送受信装置１はデジタルテレビジョン放送を受信するデジタル放送受信装置である。デジタルテレビジョン放送規格としては、ＡＲＩＢ規格，ＡＴＳＣ規格，ＤＶＢＴ規格等の任意の規格でよい。放送受信装置１は、アナログテレビジョン放送を受信する放送受信装置であってもよい。また、図１ではアンテナ５より放送波信号を入力する構成としているが、ケーブルより放送波信号を入力する構成としてもよい。チューナ１１１より出力されたＭＰＥＧ２等で圧縮された映像データは映像処理部１１２に入力され、ＭＰＥＧ２  ＡＡＣやドルビーＡＣ３（ドルビーは登録商標）等で圧縮された音声データは音声処理部１１４に入力される。
【００３０】
映像処理部１１２は圧縮された映像データを伸張して各種の信号処理を施し、映像信号を表示部１１３に供給する。映像処理部１１２は表示部１１３に映像信号を供給する映像信号供給部である。表示部１１３は液晶パネル等の任意の表示部であり、表示部１１３は入力された映像信号に基づいた映像を表示する。ＣＰＵ１１０は表示部１１３に文字や図形等の情報を表示させるオン・スクリーン・ディスプレイ（ＯＳＤ）発生部１１０ａを含む。映像処理部１１２は映像信号にＯＳＤ発生部１１０ａによって発生したＯＳＤ信号を重畳させる重畳回路を含む。図２では、ＯＳＤ発生部１１０ａをＣＰＵ１１０内に設けているが、ＣＰＵ１１０外に設けてもよい。ＣＰＵ１１０は表示部１１３に各種の情報を表示させるよう制御する表示制御部である。
【００３１】
音声処理部１１４は圧縮された音声データを伸張して各種の信号処理を施し、音声信号をスピーカ１１５に供給する。音声処理部１１４はスピーカ１１５に音声信号を供給する音声信号供給部である。音声処理部１１４はスピーカ１１５から発生させる音量を調整する増幅器を含む。スピーカ１１５は入力された音声信号に基づいた音声を発生させる。表示部１１３及びスピーカ１１５を放送受信装置１の外部に設けてもよい。
【００３２】
映像処理部１１２にはコネクタ１０１を介してポータブル・プレーヤ２によって再生された映像データに基づく映像信号も入力される。本実施形態においては、ポータブル・プレーヤ２より出力される映像信号をアナログ映像信号としているが、デジタル映像データを出力させて映像処理部１１２に供給することも可能である。音声処理部１１４にはコネクタ１０１を介してポータブル・プレーヤ２によって再生された音声データに基づく音声信号も入力される。本実施形態においては、ポータブル・プレーヤ２より出力される音声信号をアナログ音声信号としているが、デジタル音声データを出力させて音声処理部１１４に供給することも可能である。図２において、太実線で示すラインは映像データ（映像信号）または音声データ（音声信号）の信号ラインである。
【００３３】
リモコン送信機４より発せられた例えば赤外光によるリモコン信号は受信部１１６によって受信される。受信部１１６は受信したリモコン信号を電気信号に変換してＣＰＵ１１０に供給する。図２において、二点鎖線で示すラインは赤外光によるリモコン信号の信号ラインである。リモコン送信機４によって、ＴＶモードと再生モードとＰＣ通信モードとを選択的に切り換えることができる。ＣＰＵ１１０はリモコン送信機４によるモード切り換えの操作に応じて、被識別部１０５，信号切換部１０６，電源切換部１０９，映像処理部１１２，音声処理部１１４を制御する。また、ＣＰＵ１１０はＴＶモードのとき受信するチャンネルを切り換えるためチューナ１１１を制御する。ＣＰＵ１１０はＴＶモードまたは再生モードのときスピーカ１１５から発生させる音量を調整するよう音声処理部１１４を制御する。
【００３４】
放送受信装置１は、コネクタ１０１にポータブル・プレーヤ２を接続していない状態ではＴＶモードとなっている。コネクタ１０１にポータブル・プレーヤ２を接続し、ＣＰＵ１１０が接続検出部１０３からの接続検出信号Ｓct1がハイレベルになると、放送受信装置１は、ＴＶモードと再生モードとを切り換えることが可能となる。ユーザはリモコン送信機４によるモード切換の操作によってＴＶモードと再生モードとを選択することができる。ＴＶモードは、表示部１１３にチューナ１１１によって受信した放送番組の映像信号の映像を表示したり、スピーカ１１５から放送番組の音声信号の音声を発生させたりするモードである。再生モードは、ポータブル・プレーヤ２によって再生した映像信号の映像を表示部１１３に表示したり、ポータブル・プレーヤ２によって再生した音声信号の音声をスピーカ１１５から発生させたりするモードである。
【００３５】
本実施形態においては、ポータブル・プレーヤ２は音声データ及び映像データを記憶してそれぞれ再生するオーディオ・ビデオプレーヤであるが、音声データのみを記憶して再生するオーディオであってもよい。この場合、再生モードは、ポータブル・プレーヤ２によって再生した音声信号の音声をスピーカ１１５から発生させるモードである。
【００３６】
コネクタ１０１にポータブル・プレーヤ２が接続されたことが検出されたら自動的にＴＶモードから再生モードへと切り換え、ポータブル・プレーヤ２がコネクタ１０１から取り外されたことが検出されたら自動的に再生モードからＴＶモードへと切り換えるようにしてもよい。
【００３７】
次に、各モードについて詳細に説明する。図２に示すように放送受信装置１にポータブル・プレーヤ２及びＰＣ３を接続している状態においては、ユーザは放送受信装置１のモードとしてＴＶモード，再生モード，ＰＣ通信モードを選択的に切り換えることができる。ＴＶモードと再生モードとは上記のように映像表示や音声出力の供給源がチューナ１１１であるのかポータブル・プレーヤ２であるのかが異なるのみである。ＴＶモードと再生モードとで被識別部１０５，信号切換部１０６，電源切換部１０９の状態は同じであるので、再生モードとＰＣ通信モードを中心に説明することとする。
【００３８】
放送受信装置１が再生モードのとき、ＣＰＵ１１０はモード切換信号Ｓselとして例えばハイレベル（“１”）の信号を被識別部１０５，信号切換部１０６，電源切換部１０９に供給する。モード切換信号Ｓselがハイレベルのとき、被識別部１０５は、ポータブル・プレーヤ２に対して、放送受信装置１を外部機器として識別させるよう作用する。また、モード切換信号Ｓselがハイレベルのとき、信号切換部１０６は、コネクタ１０１からのＵＳＢ信号ラインとコネクタ１０２からのＵＳＢ信号ラインとを切断した状態とする。
【００３９】
これにより、コネクタ１０１にポータブル・プレーヤ２が接続された状態においては、ポータブル・プレーヤ２は放送受信装置１をアクセサリ機器として認識し、放送受信装置１はＵＡＲＴ通信によってポータブル・プレーヤ２を制御することが可能となる。
【００４０】
モード切換信号Ｓselがハイレベルのとき、電源切換部１０９のスイッチ１０９ａは電源部１０８側に接続された状態となっている。
【００４１】
また、ＣＰＵ１１０は、ポータブル・プレーヤ２に電力を供給するか電力供給を遮断するかを制御する電力供給制御信号Ｓpctlとして例えばハイレベル（“１”）の信号を電源切換部１０９に供給する。電力供給制御信号Ｓpctlがハイレベルのとき、電源切換部１０９のスイッチ１０９ｂは図示のようにオンになっている。スイッチ１０９ａが電源部１０８側に接続され、スイッチ１０９ｂがオンになっているので、電源部１０８からの電力はポータブル・プレーヤ２へと供給されることになる。
【００４２】
なお、ポータブル・プレーヤ２をコネクタ１０１に接続せず、放送受信装置１がＴＶモードしか選択できない場合には、ＣＰＵ１１０は電力供給制御信号Ｓpctlとして例えばローレベル（“０”）の信号を電源切換部１０９に供給する。これにより、スイッチ１０９ｂをオフにして、コネクタ１０１に電力を供給しないようにすることが好ましい。
【００４３】
次に、放送受信装置１を再生モードからＰＣ通信モードに切り換える場合について説明する。ユーザがリモコン送信機４を操作して再生モードからＰＣ通信モードに切り換える指示を行うと、再生モードからＰＣ通信モードに切り換える命令ＡがＣＰＵ１１０に入力される。ＣＰＵ１１０は命令Ａが入力されると、モード切換信号Ｓselとして例えばローレベル（“０”）の信号を被識別部１０５，信号切換部１０６，電源切換部１０９に供給する。モード切換信号Ｓselがローレベルになると、被識別部１０５はポータブル・プレーヤ２に対して放送受信装置１を外部機器として識別させる作用を停止させる。また、モード切換信号Ｓselがローレベルになると、信号切換部１０６は、コネクタ１０１からのＵＳＢ信号ラインとコネクタ１０２からのＵＳＢ信号ラインとを接続した状態とする。
【００４４】
これにより、ポータブル・プレーヤ２はコネクタ１０１，１０２を介してＰＣ３に接続される。この場合、ポータブル・プレーヤ２は放送受信装置１によって制御することができず、ポータブル・プレーヤ２をＰＣ３によって制御可能となる。
【００４５】
さらに、モード切換信号Ｓselがローレベルになると、電源切換部１０９のスイッチ１０９ａはコネクタ１０２側（ＰＣ３側）に接続される。ＣＰＵ１１０は、モード切換信号Ｓselをハイレベルからローレベルに切り換えるのに対応させて、電力供給制御信号Ｓpctlを一時的にローレベル（“０”）に切り換えて電源切換部１０９に供給する。電力供給制御信号Ｓpctlがローレベルになると、電源切換部１０９のスイッチ１０９ｂはオフとなる。スイッチ１０９ｂが一時的にオフされることによって、ポータブル・プレーヤ２への電力供給は一時的に遮断される。
【００４６】
ＣＰＵ１１０は、電力供給制御信号Ｓpctlをローレベルに切り換えた後、所定時間経過後にハイレベルに戻し、ポータブル・プレーヤ２への電力供給を再開させる。モード切換信号Ｓselをハイレベルからローレベルに切り換えるタイミングと電力供給制御信号Ｓpctlをハイレベルからローレベル、ローレベルからハイレベルに切り換えるタイミングについては後に詳述する。
【００４７】
電源切換部１０９のスイッチ１０９ａがコネクタ１０２側に接続され、スイッチ１０９ｂがオンの状態では、ＰＣ３からの電力（USB Vbus）がポータブル・プレーヤ２に供給されることとなる。
【００４８】
さらに、ＰＣ通信モードになっている放送受信装置１を再生モードへと切り換える場合について説明する。ユーザがリモコン送信機４を操作してＰＣ通信モードから再生モードに切り換える指示を行うと、ＰＣ通信モードから再生モードに切り換える命令ＢがＣＰＵ１１０に入力される。ＣＰＵ１１０は命令Ｂが入力されると、モード切換信号Ｓselをハイレベルに切り換える。これにより、放送受信装置１内の各部は上述した再生モードの状態に戻る。
【００４９】
ＣＰＵ１１０は、モード切換信号Ｓselをハイレベルからローレベルに切り換える場合と同様、モード切換信号Ｓselをローレベルからハイレベルに切り換えるのに対応させて、電力供給制御信号Ｓpctlを一時的にローレベルに切り換え、所定時間経過後にハイレベルに戻す。
【００５０】
ここで、図３を参照しながら、モード切換信号Ｓselと電力供給制御信号Ｓpctlの切り換えタイミングについて詳細に説明する。図３において、（Ａ）はモード切換信号Ｓselを示しており、（Ｂ）は電力供給制御信号Ｓpctlを示している。時刻t0以降、モード切換信号Ｓsel及び電力供給制御信号Ｓpctlはハイレベルとなっており、放送受信装置１は再生モードになっている。ユーザが時刻ｔ１で再生モードからＰＣ通信モードに切り換える指示を行うと、命令ＡがＣＰＵ１１０に入力される。図３（Ｂ）に示すように、ＣＰＵ１１０は命令Ａが入力されると即座に電力供給制御信号Ｓpctlをハイレベルからローレベルへと切り換える。ＣＰＵ１１０は、電力供給制御信号Ｓpctlを時刻ｔ１から所定の期間αだけローレベルを維持した後、時刻ｔ３にてハイレベルへと切り換える。
【００５１】
図３（Ａ）に示すように、ＣＰＵ１１０は電力供給制御信号Ｓpctlがローレベルとなっている期間α内の時刻ｔ２にモード切換信号Ｓselをハイレベルからローレベルへと切り換える。このように、ＣＰＵ１１０は命令Ａを受けた場合、モード切換信号Ｓselをハイレベルからローレベルに切り換えるのに対応させて、電力供給制御信号Ｓpctlを一時的にローレベルに切り換える。
【００５２】
上述したように、モード切換信号Ｓselをハイレベルからローレベルへと切り換えることによって電源切換部１０９のスイッチ１０９ａは電源部１０８側からＰＣ３側へと切り換えられる。しかしながら、ポータブル・プレーヤ２の仕様によっては、ただ単にスイッチ１０９ａの接続先を電源部１０８側からＰＣ３側へと切り換えたのみではＰＣ３からの電力がポータブル・プレーヤ２へと供給されない場合がある。そこで、そのような仕様のポータブル・プレーヤ２の場合には、電力供給制御信号Ｓpctlを一時的にローレベルに切り換えることにより、ポータブル・プレーヤ２に電力を供給する供給源が電源部１０８からＰＣ３へと切り換わることになる。
【００５３】
放送受信装置１は、図３（Ａ）に示すモード切換信号Ｓselのハイレベルからローレベルへの切り換えと、図３（Ｂ）に示す電力供給制御信号Ｓpctlのハイレベルからローレベル、ローレベルからハイレベルへの切り換えとの双方を行うことによって、再生モードからＰＣ通信モードへと切り換えられることとなる。放送受信装置１は時刻ｔ２からＰＣ通信モードとなる。但し、時刻ｔ２から時刻ｔ３までの期間はポータブル・プレーヤ２に電力が供給されないので、実際にポータブル・プレーヤ２がＰＣ３と通信が可能になるのは時刻ｔ３以降である。
【００５４】
モード切換信号Ｓselがハイレベルからローレベルへと切り換えられるより前に電力供給制御信号Ｓpctlがローレベルからハイレベルへと切り換えられると、ポータブル・プレーヤ２に電力を供給する供給源は電源部１０８からＰＣ３へと切り換わらない。従って、電力供給制御信号Ｓpctlをローレベルからハイレベルへと切り換えるタイミングはモード切換信号Ｓselがハイレベルからローレベルへと切り換えられた時点以降とすることが必要である。図３（Ｂ）に示す期間αの全体を時刻ｔ２以降にしてもよい。但し、期間αの全体を時刻ｔ２以降にすると、実際にポータブル・プレーヤ２がＰＣ３と通信が可能になる時刻は時刻ｔ３より後にずれることになる。そこで、モード切換信号Ｓselをハイレベルからローレベルへと切り換えるタイミングを、電力供給制御信号Ｓpctlをローレベルにしている期間α内に位置させることが好ましい。
【００５５】
そして、ユーザが時刻ｔ４でＰＣ通信モードから再生モードに切り換える指示を行うと、命令ＢがＣＰＵ１１０に入力される。図３（Ａ）に示すように、ＣＰＵ１１０は命令Ｂが入力されると即座にモード切換信号Ｓselをローレベルからハイレベルへと切り換える。図３（Ｂ）に示すように、ＣＰＵ１１０は時刻ｔ５で電力供給制御信号Ｓpctlをハイレベルからローレベルへと切り換え、時刻ｔ５から所定の期間βだけローレベルを維持した後、時刻ｔ６でハイレベルへと切り換える。このように、ＣＰＵ１１０は命令Ｂを受けた場合、モード切換信号Ｓselをローレベルからハイレベルに切り換えるのに対応させて、電力供給制御信号Ｓpctlを一時的にローレベルに切り換える。
【００５６】
ＰＣ通信モードから再生モードに切り換える場合も、ポータブル・プレーヤ２の仕様によっては、ただ単にスイッチ１０９ａの接続先をＰＣ３側から電源部１０８側へと切り換えたのみでは電源部１０８からの電力がポータブル・プレーヤ２へと供給されない場合がある。そこで、そのような仕様のポータブル・プレーヤ２の場合には、電力供給制御信号Ｓpctlを一時的にローレベルに切り換えることにより、ポータブル・プレーヤ２に電力を供給する供給源がＰＣ３から電源部１０８へと切り換わることになる。
【００５７】
放送受信装置１は、図３（Ａ）に示すモード切換信号Ｓselのローレベルからハイレベルへの切り換えと、図３（Ｂ）に示す電力供給制御信号Ｓpctlのハイレベルからローレベル、ローレベルからハイレベルへの切り換えとの双方を行うことによって、ＰＣ通信モードから再生モードへと切り換えられることとなる。放送受信装置１は時刻ｔ４から再生モードとなる。但し、時刻ｔ４から時刻ｔ６までの期間はポータブル・プレーヤ２に電力が供給されないので、実際にポータブル・プレーヤ２が再生可能となるのは時刻ｔ６以降である。
【００５８】
電力供給制御信号Ｓpctlをローレベルからハイレベルへと切り換えるタイミングはモード切換信号Ｓselがローレベルからハイレベルへと切り換えられた時点以降とすることが必要である。ＰＣ通信モードから再生モードに切り換える場合も、モード切換信号Ｓselをローレベルからハイレベルに切り換えるタイミングを、電力供給制御信号Ｓpctlをローレベルにしている期間β内に位置させてもよい。
【００５９】
以上のように、ＣＰＵ１１０は、ポータブル・プレーヤ２によって再生した少なくとも音声データに基づく音声信号をスピーカ１１５に供給して音声信号による音声を発生させる再生モードと、ポータブル・プレーヤ２とＰＣ３とを通信可能な状態に接続するＰＣ通信モードとを切り換える切換制御部となっている。
【００６０】
さらに、図４及び図５を用いて、再生モードからＰＣ通信モードに切り換える際にＣＰＵ１１０が実行する処理について説明する。図４において、ＣＰＵ１１０はステップＳ４０１にて、ポータブル・プレーヤ２とＰＣ３が放送受信装置１に接続されているか否かを判定する。双方が接続されているという条件を満たさなければ（NO）、ステップＳ４０１に戻る。双方が接続されているという条件を満たせば（YES）、ステップＳ４０２に移る。
【００６１】
ＣＰＵ１１０はステップＳ４０２にて、再生モードからＰＣ通信モードに切り換えることが可能であることを示す情報を表示部１１３の画面に表示させる指示があったか否かを判定する。指示がなければ（NO）、ステップＳ４０２に戻り、指示があれば（YES）、ステップＳ４０３に移る。画面表示の指示は、一例として、メニュー内に設けられている画面表示を実行させる表示ボタンを操作することによって行われる。ＣＰＵ１１０はステップＳ４０３にて、再生モードからＰＣ通信モードに切り換えることが可能であることを示す情報を例えば表示部１１３の画面に表示させる。ステップＳ４０２を省略してもよい。
【００６２】
図５は、ステップＳ４０３にて表示部１１３の画面に表示される情報を示している。図５に示す例では、矩形の枠内に、「ＰＣと接続する準備ができました。接続しますか？」なる文章と、「はい」と「いいえ」なるボタンが表示されており、「はい」のボタンが太実線で囲まれて選択された状態となっている。
【００６３】
図４に戻り、ＣＰＵ１１０はステップＳ４０４にて、再びポータブル・プレーヤ２とＰＣ３が放送受信装置１に接続されているか否かを判定する。ステップＳ４０４にてステップＳ４０１と同様の判定を行うのは、「はい」のボタンと「いいえ」のボタンを選択する前に、あるいは、いずれかを選択している間に、ポータブル・プレーヤ２とＰＣ３の少なくとも一方を外してしまった場合に処理を終了させるためである。ステップＳ４０４にて双方が接続されているという条件を満たさなければ（NO）、終了する。双方が接続されているという条件を満たせば（YES）、ステップＳ４０５に移る。なお、ステップＳ４０４は省略可能である。
【００６４】
ＣＰＵ１１０はステップＳ４０５にて、「はい」のボタンが選択され操作されたか否かを判定する。「はい」のボタンの操作とは、例えば図５のように「はい」のボタンが選択された状態でリモコン送信機４の図示していない決定ボタンを押下したことである。ステップＳ４０５にて「はい」のボタンを選択・操作したと判定するのは、ＣＰＵ１１０に命令Ａが入力された場合である。ステップＳ４０５にて「はい」のボタンを選択・操作したと判定されれば（YES）、ＣＰＵ１１０はステップＳ４０６にてポータブル・プレーヤ２とＰＣ３とを通信可能な状態にする。即ち、ＣＰＵ１１０は、前述のように、被識別部１０５による作用を停止させ、信号切換部１０６によってＵＳＢ信号ラインを接続し、電源切換部１０９のスイッチ１０９ａをコネクタ１０２側に接続し、スイッチ１０９ｂを図３（Ｂ）で説明したように一時的にローレベルにしてポータブル・プレーヤ２をＰＣ３からの電力で動作させる。
【００６５】
ステップＳ４０５にて「はい」のボタンを選択・操作したと判定されなければ（NO）、ＣＰＵ１１０はステップＳ４０７にて「いいえ」のボタンが選択され操作されたか否かを判定する。図５の状態から「いいえ」のボタンを選択・操作する場合は、リモコン送信機４の図示していないカーソルボタンによって「いいえ」のボタンを選択して決定ボタンを押下すればよい。ステップＳ４０７にて「いいえ」のボタンを選択・操作したと判定されれば（YES）、終了し、「いいえ」のボタンを選択・操作したと判定されなければ（NO）、ステップＳ４０４に戻る。
【００６６】
放送受信装置１がＰＣ通信モードの状態では、ＰＣ３にインストールされたポータブル・プレーヤ２にコンテンツを転送するソフトウェアを用いることにより、ポータブル・プレーヤ２に新規のコンテンツデータを転送してコンテンツデータを追加することができる。また、コンテンツデータを入れ替えたり、既に記憶されているコンテンツデータを削除したり、ポータブル・プレーヤ２に記憶されているコンテンツデータをＰＣ３に戻したりすることができる。
【００６７】
次に、図６及び図７を用いて、ＰＣ通信モードから再生モードに切り換える際にＣＰＵ１１０が実行する処理について説明する。図６において、ＣＰＵ１１０はステップＳ６０１にて、ポータブル・プレーヤ２とＰＣ３が放送受信装置１に接続されているか否かを判定する。双方が接続されているという条件を満たさなければ（NO）、ステップＳ６０６に移る。双方が接続されているという条件を満たせば（YES）、ステップＳ６０２に移る。ＣＰＵ１１０はステップＳ６０２にて、ＰＣ通信モードを解除して再生モードに戻すことが可能であることを示す情報を表示部１１３の画面に表示させる指示があったか否かを判定する。指示がなければ（NO）、ステップＳ６０２に戻り、指示があれば（YES）、ステップＳ６０３に移る。
【００６８】
ＣＰＵ１１０はステップＳ６０３にて、ＰＣ通信モードから再生モードに切り換えることが可能であることを示す情報を例えば表示部１１３の画面に表示させる。ステップＳ６０２を省略してもよい。図７は、ステップＳ６０２にて表示部１１３の画面に表示される情報を示している。図７に示す例では、矩形の枠内に、「ＰＣとの接続を解除できます。解除しますか？」なる文章と、「はい」と「いいえ」なるボタンが表示されており、「はい」のボタンが太実線で囲まれて選択された状態となっている。
【００６９】
図６に戻り、ＣＰＵ１１０はステップＳ６０４にて、再びポータブル・プレーヤ２とＰＣ３が放送受信装置１に接続されているか否かを判定する。ステップＳ６０４にてステップＳ６０１と同様の判定を行うのは、「はい」のボタンと「いいえ」のボタンを選択する前に、あるいは、いずれかを選択している間に、ポータブル・プレーヤ２とＰＣ３の少なくとも一方を外してしまった場合に処理を終了させるためである。ステップＳ６０４にて双方が接続されているという条件を満たさなければ（NO）、ステップＳ６０６に移る。双方が接続されているという条件を満たせば（YES）、ステップＳ６０５に移る。なお、ステップＳ６０４は省略可能である。
【００７０】
ＣＰＵ１１０はステップＳ６０５にて、「はい」のボタンが選択され操作されたか否かを判定する。ステップＳ６０５にて「はい」のボタンを選択・操作したと判定するのは、ＣＰＵ１１０に命令Ｂが入力された場合である。ステップＳ６０５にて「はい」のボタンを選択・操作したと判定されれば（YES）、ＣＰＵ１１０はステップＳ６０６にてポータブル・プレーヤ２と放送受信装置１とを通信可能な状態にする。即ち、ＣＰＵ１１０は、前述のように、被識別部１０５による作用を働かせ、信号切換部１０６によってＵＳＢ信号ラインを切断し、電源切換部１０９のスイッチ１０９ａを電源部１０８側に接続し、スイッチ１０９ｂを図３（Ｂ）で説明したように一時的にローレベルにしてポータブル・プレーヤ２を電源部１０８からの電力で動作させる。
【００７１】
ステップＳ６０５にて「はい」のボタンを選択・操作したと判定されなければ（NO）、ＣＰＵ１１０はステップＳ６０７にて「いいえ」のボタンが選択され操作されたか否かを判定する。ステップＳ６０７にて「いいえ」のボタンを選択・操作したと判定されれば（YES）、終了し、「いいえ」のボタンを選択・操作したと判定されなければ（NO）、ステップＳ６０４に戻る。
【００７２】
図８は、図６に示すＰＣ通信モードから再生モードへの切り換え処理を改良した例を示している。図８におけるステップＳ８０１〜Ｓ８０７は図６におけるステップＳ６０１〜Ｓ６０７と同じであるので、説明を省略する。図８においては、ステップＳ８０１，Ｓ８０４にてポータブル・プレーヤ２とＰＣ３との双方が放送受信装置１に接続されているという条件を満たさなければ（NO）、ＣＰＵ１１０はステップＳ８０８にてポータブル・プレーヤ２と放送受信装置１とを通信可能な状態にする。そして、ＣＰＵ１１０はステップＳ８０９にて再生モードに切り換えられたことを示す情報を例えば表示部１１３の画面に表示させる。
【００７３】
図９は、ステップＳ８０９にて表示部１１３の画面に表示される情報を示している。図９に示す例では、矩形の枠内に、「ＰＣとの接続が解除されました。」なる文章が表示されている。
【００７４】
ステップＳ８０８，Ｓ８０９を設けることにより、例えば、ポータブル・プレーヤ２が何らかの理由によりリセットされた場合や、放送受信装置１とＰＣ３とのを接続するケーブルがユーザの意図ではなく外れてしまった場合に、ユーザにＰＣ通信モードが解除されたことを通知することができる。
【００７５】
特に図示はしていないが、ＰＣ通信モードのときにユーザが放送受信装置１の電源を切断する操作を行った場合に、電源部１０８から放送受信装置１内の各部への電力供給を遮断する前に、ＰＣ通信モードを終了して再生モードに切り換えるようにしてもよい。このとき、ＰＣ通信モードが終了することをユーザに通知するために、表示部１１３の画面に例えば「ＰＣとの接続が解除されますが、よろしいですか。」なる文章と、「はい」のボタン及び「いいえ」のボタンを表示するようにしてもよい。ＣＰＵ１１０は、例えば、ユーザが「はい」のボタンを選択・操作した場合には再生モードに切り換えた上で電源を切断し、「いいえ」のボタンを選択・操作した場合には再生モードに切り換えずＰＣ通信モードを維持すると共に電源を切断しないように制御すればよい。
【００７６】
図１０を用いて、以上のように構成され動作する本実施形態の放送受信装置１の使い方の一例を説明する。図１０に示すフローチャートはユーザが行う動作と放送受信装置１またはＰＣ３が実行する処理をステップとして記述している。図１０において、ユーザはステップＳ1001にて、ポータブル・プレーヤ２を放送受信装置１のコネクタ１０１に接続する。ユーザはステップＳ1002にて、リモコン送信機４を操作してポータブル・プレーヤ２内のコンテンツデータを再生する。ユーザは、ＰＣ３から新規のコンテンツデータをポータブル・プレーヤ２に転送する等を行うため、ステップＳ1003にてＰＣ３を放送受信装置１のコネクタ１０２に接続する。すると、放送受信装置１は、ステップＳ1004にてポータブル・プレーヤ２及びＰＣ３の双方が接続されていることを検出する。
【００７７】
ユーザがステップＳ1005にてＰＣ通信モードへの切り換えを選択すると、放送受信装置１はステップＳ1006にてポータブル・プレーヤ２とＰＣ３とが通信可能な状態に設定する。ユーザがポータブル・プレーヤ２に新規のコンテンツデータを追加するためにＰＣ３を操作すると、ＰＣ３はステップＳ1007にてポータブル・プレーヤ２に新規のコンテンツデータを転送する。ポータブル・プレーヤ２からＰＣ３にコンテンツデータを転送することも可能である。放送受信装置１は、ステップＳ1008にて、ポータブル・プレーヤ２及びＰＣ３の双方が接続されていることを検出する。ＰＣ通信モードに切り換えた後も常時または定期的にポータブル・プレーヤ２とＰＣ３の接続を検出することが好ましい。
【００７８】
ユーザがステップＳ1009にてＰＣ通信モードの解除を選択すると、放送受信装置１はステップＳ1010にてポータブル・プレーヤ２とＰＣ３とが通信可能な状態を解除する。そして、ユーザがステップＳ1011にてポータブル・プレーヤ２に追加して記憶させた新規のコンテンツデータを再生する。ＰＣ通信モードが解除された後は再生モードとなる。ＰＣ通信モードが解除された後は放送受信装置１にＰＣ３が接続されていても、ポータブル・プレーヤ２内のコンテンツデータを放送受信装置１によって映像表示させたり、音声出力させたりすることができる。
【００７９】
以上のように、本実施形態の放送受信装置１によれば、放送受信装置１にポータブル・プレーヤ２を接続している場合に、放送受信装置１にＰＣ３を接続することによって、ポータブル・プレーヤ２を放送受信装置１から取り外すことなく放送受信装置１に接続したままで、ＰＣ３からポータブル・プレーヤ２にコンテンツデータを転送することができる。また、ＰＣ３は放送受信装置１を経由してポータブル・プレーヤ２を操作することができる。
【００８０】
ＰＣ３より出力された映像信号を、映像処理部１１２を介して表示部１１３に供給するようにすれば、ＰＣ３より出力された映像信号を表示部１１３で表示させながら、ポータブル・プレーヤ２に転送するコンテンツデータを選択するように構成することも可能である。
【００８１】
本発明は以上説明した本実施形態に限定されるものではなく、本発明の要旨を逸脱しない範囲において変更可能である。
【符号の説明】
【００８２】
１  放送受信装置
２  ポータブル・プレーヤ
３  パーソナル・コンピュータ（ＰＣ）
４  リモコン送信機
５  アンテナ
１０１，１０２  コネクタ
１０３，１０７  接続検出部
１０４  通信部
１０５  被識別部
１０６  信号切換部
１０８  電源部
１０９  電源切換部
１０９ａ，１０９ｂ  スイッチ
１１０  中央処理装置（ＣＰＵ，切換制御部，表示制御部）
１１０ａ  オン・スクリーン・ディスプレイ発生部
１１１  チューナ
１１２  映像処理部（映像信号供給部）
１１３  表示部
１１４  音声処理部（音声信号供給部）
１１５  スピーカ
１１６  受信部
【図１】
2010226701.tif 000003
【図２】
2010226701.tif 000004
【図３】
2010226701.tif 000005
【図４】
2010226701.tif 000006
【図５】
2010226701.tif 000007
【図６】
2010226701.tif 000008
【図７】
2010226701.tif 000009
【図８】
2010226701.tif 000010
【図９】
2010226701.tif 000011
【図１０】
2010226701.tif 000012